(57)【要約】【課題】コンテンツ送信サーバから受信端末へ送信されるコンテンツの内、ユーザーの嗜好が考慮された有害コンテンツを除外することを目的とする。【解決手段】  コンテンツ送受信システム１は受信端末２と送信サーバ４から構成される。送信サーバ４は受信端末２から有害と通知されたコンテンツ情報を記憶し、通知数に応じて有害レベルを設定する。ネットワーク上から収集したコンテンツの内、有害と通知されたコンテンツが含まれる場合は有害レベル付きのコンテンツ情報を送信する。受信端末２は収集要求及び有害通知を送信サーバ４に通知し、有害通知を行うコンテンツ情報を自装置に記憶する。送信サーバ４から受信したコンテンツ情報の内、自装置に記憶した有害コンテンツに該当せず、且つ推薦を許可する有害レベルに該当するコンテンツ情報のみを推薦リスト画面に再生可能に出力する。【選択図】  図２
2010086352.tif 000002
【特許請求の範囲】
【請求項１】
要求されたコンテンツをネットワークを介して送信する送信サーバと、前記送信サーバに対して前記ネットワークを介して所望のコンテンツの送信を要求可能な受信端末とにより構成されたコンテンツ送受信システムであって、
前記送信サーバは、
受信したコンテンツ推薦要求に対応したコンテンツの識別情報を前記受信端末に送信する第１の送信手段と、
１のコンテンツが有害である旨の通知を受信した場合に、前記コンテンツの識別情報と、この通知の受信回数とを対応付けて記憶する第１のリスト作成手段と、
前記第１のリスト作成手段により記憶した前記通知の受信回数に応じて有害レベルを判別する判別手段と、
前記第１の送信手段を実行する場合、前記判別手段により判別された有害レベルを併せて前記受信端末に通知する第１の通知手段と
を具備し、
前記受信端末は、
前記コンテンツ推薦要求を前記送信サーバへ送信する第２の送信手段と、
１のコンテンツが有害である旨を前記送信サーバへ通知する第２の通知手段と、
前記第２の通知手段を実行する場合に、通知するコンテンツの識別情報を記憶する第２のリスト作成手段と、
前記第１の送信手段により前記送信サーバから受信したコンテンツの識別情報が、前記第２のリスト作成手段により記憶された中に存在しない場合であって、かつこのコンテンツに対応する前記第１の通知手段により通知された有害レベルが前記受信端末によって予め決められた所定のレベルの場合に前記コンテンツを再生可能に出力する推薦リスト出力手段と
を備えたことを特徴とするコンテンツ送受信システム。
【請求項２】
前記コンテンツ推薦要求は、コンテンツのメタデータもしくは嗜好情報を含むものであることを特徴とする請求項１に記載のコンテンツ送受信システム。
【請求項３】
前記判別手段における有害レベルは、前記通知の受信回数の範囲に応じて段階的に設定されるものであることを特徴とする請求項２に記載のコンテンツ送受信システム。
【請求項４】
前記推薦リスト出力手段における所定のレベルは、複数の前記有害レベルを設定可能であることを特徴とする請求項３に記載のコンテンツ送受信システム。
【請求項５】
コンテンツ受信装置から要求されたコンテンツをネットワークを介して前記コンテンツ受信装置に送信するコンテンツ送信サーバであって、
前記コンテンツ受信装置が送出したコンテンツ推薦要求を受信する受信手段と、
前記受信手段により受信した前記コンテンツ推薦要求に対応したコンテンツの識別情報を前記受信端末に送信する送信手段と、
１のコンテンツが有害である旨の通知を受信した場合に、このコンテンツの識別情報と、この通知の受信回数とを対応付けて自装置に記憶するリスト作成手段と、
前記リスト作成手段により記憶した前記コンテンツの前記通知の受信回数に応じて有害レベルを判別する判別手段と、
前記送信手段を実行する場合、前記判別手段により判別された有害レベルを併せて前記受信端末に通知する通知手段と
を有することを特徴とするコンテンツ送信サーバ。
【請求項６】
前記コンテンツ推薦要求は、コンテンツのメタデータもしくは嗜好情報を含むものであることを特徴とする請求項５に記載のコンテンツ送信サーバ。
【請求項７】
前記判別手段における有害レベルは、前記通知の受信回数の範囲に応じて段階的に設定されるものであることを特徴とする請求項６に記載のコンテンツ送信サーバ。
【請求項８】
コンテンツの識別情報を送信サーバから受信する第１の受信手段と、
前記第１の受信手段により前記コンテンツの識別情報を受信する場合に、前記送信サーバからこのコンテンツの有害レベルの通知を受ける第１の通知手段と、
コンテンツ推薦要求を前記送信サーバへ送信する送信手段と、
１のコンテンツが有害である旨を前記送信サーバへ通知する第２の通知手段と、
前記第２の通知手段を実行する場合に、通知する前記コンテンツの識別情報を記憶するリスト作成手段と、
前記第１の受信手段により受信した前記コンテンツの識別情報が、前記リスト作成手段により記憶された中に存在しない場合であって、かつこのコンテンツに対応する前記第１の通知手段により通知された有害レベルが自装置によって予め決められた所定のレベルの場合に、前記コンテンツを再生可能に出力する推薦リスト出力手段と、
前記推薦リスト出力手段により、再生可能に出力された前記コンテンツをネットワークを介して受信する第２の受信手段と、
を備えたことを特徴とするコンテンツ受信装置。
【請求項９】
前記コンテンツ推薦要求は、コンテンツのメタデータもしくは嗜好情報を含むものであることを特徴とする請求項８に記載のコンテンツ受信装置。
【請求項１０】
前記推薦リスト出力手段における所定のレベルは、複数の前記有害レベルを設定可能であることを特徴とする請求項９に記載のコンテンツ受信装置。 
【発明の詳細な説明】
【技術分野】
【０００１】
本発明は、コンテンツを送信する送信サーバと、このサーバから所望のコンテンツの送受信可能な受信端末とにより構成されたコンテンツ送受信システムに関する。
【背景技術】
【０００２】
ブロードバンド環境の普及に伴い、多数の動画配信サービスが提供されている。膨大なコンテンツの中には、道徳的に問題を有するいわゆる有害コンテンツも存在しており、青少年に対する悪影響が懸念される。企業側は有害コンテンツへの対策としてフィルタリングやチェック体制を整備する必要がある。文字情報をベースにした対策には、フィルタリングソフトを利用して、自動化が可能である。一方、映像コンテンツは映像を一度視聴しなければならないので、人手によるチェック体制が必要である。
【０００３】
例えば特許文献１には、レンタカーに搭載した端末からユーザーによってフィードバックされる情報に基づいて嗜好相関データベースを更新し、その後のレンタカーへ配信するコンテンツ配信システムが開示されている。
【特許文献１】特開２００８−９７４４９（第２３頁、図８）
【発明の開示】
【発明が解決しようとする課題】
【０００４】
コンテンツの視聴者の要望は様々なものがあり、上述の配信システムでは、各ユーザーの嗜好に合わないものまでも表示される可能性がある。即ち、フィルタリングをユーザー毎にきめ細かく設定できるような配慮が必要な場合も多い。
【０００５】
そこで、本発明は上記問題点を解決するためになされたものであり、ユーザーの嗜好が考慮された有害コンテンツを除外することを目的とする。
【課題を解決するための手段】
【０００６】
上記目的を達成するために、本発明に係るコンテンツ送受信システムは、要求されたコンテンツをネットワークを介して送信する送信サーバと、前記送信サーバに対して前記ネットワークを介して所望のコンテンツの送信を要求可能な受信端末とにより構成されたコンテンツ送受信システムであって、前記送信サーバは、受信したコンテンツ推薦要求に対応したコンテンツの識別情報を前記受信端末に送信する第１の送信手段と、１のコンテンツが有害である旨の通知を受信した場合に、前記コンテンツの識別情報と、この通知の受信回数とを対応付けて記憶する第１のリスト作成手段と、前記第１のリスト作成手段により記憶した前記通知の受信回数に応じて有害レベルを判別する判別手段と、前記第１の送信手段を実行する場合、前記判別手段により判別された有害レベルを併せて前記受信端末に通知する第１の通知手段とを具備し、前記受信端末は、前記コンテンツ推薦要求を前記送信サーバへ送信する第２の送信手段と、１のコンテンツが有害である旨を前記送信サーバへ通知する第２の通知手段と、前記第２の通知手段を実行する場合に、通知するコンテンツの識別情報を記憶する第２のリスト作成手段と、前記第１の送信手段により前記送信サーバから受信したコンテンツの識別情報が、前記第２のリスト作成手段により記憶された中に存在しない場合であって、かつこのコンテンツに対応する前記第１の通知手段により通知された有害レベルが前記受信端末によって予め決められた所定のレベルの場合に前記コンテンツを再生可能に出力する推薦リスト出力手段とを備えたことを特徴としている。
【０００７】
また、本発明に係るコンテンツ送信サーバは、コンテンツ受信装置から要求されたコンテンツをネットワークを介して前記コンテンツ受信装置に送信するコンテンツ送信サーバであって、前記コンテンツ受信装置が送出したコンテンツ推薦要求を受信する受信手段と、前記受信手段により受信した前記コンテンツ推薦要求に対応したコンテンツの識別情報を前記受信端末に送信する送信手段と、１のコンテンツが有害である旨の通知を受信した場合に、このコンテンツの識別情報と、この通知の受信回数とを対応付けて自装置に記憶するリスト作成手段と、前記リスト作成手段により記憶した前記コンテンツの前記通知の受信回数に応じて有害レベルを判別する判別手段と、前記送信手段を実行する場合、前記判別手段により判別された有害レベルを併せて前記受信端末に通知する通知手段とを有することを特徴としている。
【０００８】
また、本発明に係るコンテンツ受信装置は、コンテンツの識別情報を送信サーバから受信する第１の受信手段と、前記第１の受信手段により前記コンテンツの識別情報を受信する場合に、前記送信サーバからこのコンテンツの有害レベルの通知を受ける第１の通知手段と、コンテンツ推薦要求を前記送信サーバへ送信する送信手段と、１のコンテンツが有害である旨を前記送信サーバへ通知する第２の通知手段と、前記第２の通知手段を実行する場合に、通知する前記コンテンツの識別情報を記憶するリスト作成手段と、前記第１の受信手段により受信した前記コンテンツの識別情報が、前記リスト作成手段により記憶された中に存在しない場合であって、かつこのコンテンツに対応する前記第１の通知手段により通知された有害レベルが自装置によって予め決められた所定のレベルの場合に、前記コンテンツを再生可能に出力する推薦リスト出力手段と、前記推薦リスト出力手段により、再生可能に出力された前記コンテンツをネットワークを介して受信する第２の受信手段とを備えたことを特徴としている。
【発明の効果】
【０００９】
本発明によれば、コンテンツ送信サーバから受信端末へ送信されるコンテンツの内、ユーザーの嗜好が考慮された有害コンテンツを除外することができる。
【発明を実施するための最良の形態】
【００１０】
以下、本発明の実施形態について図１〜１０を用いて説明する。
【００１１】
（実施形態）
図１は本実施の形態におけるコンテンツ送受信システム１のハードウェア構成を示す図である。図１は、後述する図２の機能を発揮させるためのハードウェア構成の一例を示している。コンテンツ送受信システム１は、受信端末２と、通信ネットワーク３と、送信サーバ４と、リモコン５、ＴＶアンテナ６とを主たる構成としている。
【００１２】
受信端末２は通信ネットワーク３を介して送信サーバ４と接続される。また受信端末２は無線等で通信可能なリモコン５と、電波に載せて放送されるコンテンツを受信するＴＶアンテナ６とを備えている。
【００１３】
受信端末２はＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、通信Ｉ／Ｆ（Ｉｎｔｅｒｆａｃｅ）１４と、ハードディスク１５と、映像音声出力装置１６と、リモコンＩ／Ｆ（Ｉｎｔｅｒｆａｃｅ）１７と、ＴＶチューナ１８とを備えている。各要素はバスＢと接続している。
【００１４】
ＣＰＵ１１は、各機能を実現する制御プログラムの命令を実行する中央処理装置である。
【００１５】
ＲＯＭ１２は、各種プログラムを格納する記憶装置である。
【００１６】
ＲＡＭ１３は、各種プログラムを展開する記憶装置である。
【００１７】
通信Ｉ／Ｆ１４は、通信ネットワーク３を介して送信サーバ４と受信端末２との間のデータのやり取りを仲介する。
【００１８】
ハードディスク１５は、コンテンツ等の記憶を行うメインの記憶装置である。
【００１９】
映像音声出力装置１６は、ＬＣＤ（Ｌｉｑｕｉｄ  Ｃｒｙｓｔａｌ  Ｄｉｓｐｌａｙ）等から構成され、再生指示されたコンテンツの表示を行う。
【００２０】
リモコンＩ／Ｆ１７は、リモコン５からの各種のコマンドを受信し、その操作内容を各ハードウェアに送信する。
【００２１】
バスＢは、各ハードウェア構成を接続する伝送路である。
【００２２】
ＴＶチューナ１８は、外部ＴＶアンテナ６と接続され、テレビジョン放送局から放送されたコンテンツ等を受信する。
【００２３】
尚、本実施の形態ではコンテンツ送受信システム１に受信端末２と、通信ネットワーク３と、送信サーバ４と、リモコン５と、ＴＶアンテナ６とを含む構成としたが、必ずしもこれに限られない。例えばリモコン５及びＴＶアンテナ６を含まない構成であっても良い。リモコン５をコンテンツ送受信システム１に含まない場合は、受信端末２の操作をリモコン５によって無線で行わずに、受信端末２に設けられた操作装置によって受信端末２の操作を行う構成にすれば良い。ＴＶアンテナ６をコンテンツ送受信システム１に含まない場合は、通信ネットワーク３を介してテレビジョン放送局から供給されるコンテンツを受信する構成にすれば良い。また、受信端末２には必ずしも映像音声出力装置１６を含む必要はなく、映像音声出力装置を外部に接続する構成にしても良い。
【００２４】
次に、図２を用いて、本実施の形態におけるコンテンツ送受信システム１について説明する。図２は本実施の形態におけるコンテンツ送受信システム１の機能ブロック図である。
【００２５】
まず、送信サーバ４の機能を説明する。
【００２６】
送信サーバ４はコンテンツ管理部３０を有する。このコンテンツ管理部３０は受信端末２における通知部２９から、本発明に係るコンテンツ推薦要求の通知を受信する。またコンテンツ管理部３０はコンテンツが有害である旨の通知を受信する。コンテンツ推薦要求の通知に基づきネット上からコンテンツを収集し、後述する送信手順に従って受信端末２へコンテンツ情報の送信を行う。これは本発明に係る第１の送信手段に該当する。またコンテンツの有害通知がされたコンテンツを、第１の有害コンテンツリストＡに有害通知回数αと対応付けて記憶する。これは本発明に係る第１のリスト作成手段に該当する。またコンテンツ管理部３０は有害である旨の通知された回数（有害通知回数α）に基づき、コンテンツの有害レベルの設定を行う。これは、本発明に係る判別手段に該当する。
【００２７】
コンテンツ管理部３０の第１の有害コンテンツリストＡ作成及びコンテンツの有害レベルの設定を、図３を用いて説明する。図３は本実施の形態における第１の有害コンテンツリストＡ作成及びコンテンツの有害レベルの設定の手順を示したフローチャートである。
【００２８】
まず、コンテンツ管理部３０は視聴したコンテンツが有害であるとの旨の通知を通知部２９より受信したか否かを判別する（ステップＳ１１）。その結果、有害であるとの旨の通知を受信していないと判別した場合（ステップＳ１１のＮｏ）、その旨の通知を受信したと判別するまで以後の処理は行わない。
【００２９】
一方、有害であるとの旨の通知を受信したと判別した場合（ステップＳ１１のＹｅｓ）、コンテンツ管理部３０は通知されたコンテンツが新規（事前に通知されたことのない）の有害コンテンツであるか否かを判別する（ステップＳ１２）。コンテンツの識別にはコンテンツのファイル名やパスによって行う。その結果、新規の有害コンテンツであると判別した場合（ステップＳ１２のＹｅｓ）、そのコンテンツ情報を第１の有害コンテンツリストＡとしてコンテンツ管理部３０に記憶する（ステップＳ１３）。次に、そのコンテンツの有害である旨の通知された回数（有害通知回数α）のカウントを１回として記憶する（ステップＳ１４）。
【００３０】
一方、新規の有害コンテンツではないと判別した場合（ステップＳ１２のＮｏ）、有害通知回数αのカウントを１回増やしてこのカウント数を更新・記憶する（ステップＳ１４）。次に、予め記憶されている有害通知回数αに対する閾値と比較して有害レベルを判別する（ステップＳ１５）。ここでは一例として、高（ステップＳ１６）、中（ステップＳ１７）、低（ステップＳ１８）の３つの有害レベルを設定した場合で説明している。
【００３１】
ステップＳ１５の結果、有害通知回数αが高レベルの閾値以上であると判別した場合、そのコンテンツの有害レベルは“高”と設定する（ステップＳ１６）。また、有害通知回数αが中レベルの閾値以上であり、かつ高レベルの閾値未満であると判別した場合、そのコンテンツの有害レベルは“中”と設定する（ステップＳ１７）。同様に、有害通知回数αが低レベルの閾値以上であり、かつ中レベルの閾値未満であると判別した場合、そのコンテンツの有害レベルは“低”と設定する（ステップＳ１８）。
【００３２】
有害レベルを決定する閾値は、有害通知回数αを考慮して送信サーバ４の管理者が変更可能であるとする。またコンテンツのネット上の収集源ごとに有害レベルを設定する閾値を変えることができるとしても良い。即ち、信頼性の高い、つまり有害コンテンツの少ないコンテンツ配信サイトからのコンテンツに関しては閾値を高く設定し、信頼性の低いコンテンツ配信サイトからのコンテンツに関しては閾値を低く設定するように構成しても良い。その結果、有害コンテンツのレベル付けがより的確に行われ、有害コンテンツの除外が効果的に達成される。
【００３３】
図４は本実施の形態におけるコンテンツ管理部３０における第１の有害コンテンツリストＡの概念図の例である。有害コンテンツであると通知されたコンテンツのタイトル名と、再生時間と、ファイル名と、閾値によって設定される有害レベルとを対応付けて記憶している。図４において、例えば、タイトル名「Ａｎｉｍａｔｉｏｎ」は、再生時間が３６分であり、「ＡＡＡ．ｗｍｖ」というファイル名を有し、有害レベルは“高”であると管理されていることが判る。尚、コンテンツ管理部３０における第１の有害コンテンツリストＡはこの形態に限られることはなく、コンテンツと有害レベルとが対応していれば良い。
【００３４】
次に、コンテンツ管理部３０が行うコンテンツ送信動作について図５を用いて説明する。これは本発明に係る第１の送信手段に該当する。図５は本実施の形態におけるコンテンツ管理部３０のコンテンツ送信動作の手順を示したフローチャートである。
【００３５】
まず、コンテンツ管理部３０はコンテンツ推薦要求の通知を通知部２９より受信したか否かを判別する（ステップＳ２１）。その結果、コンテンツ推薦要求の通知を受信していないと判別した場合（ステップＳ２１のＮｏ）、コンテンツ推薦要求の通知を受信したと判別するまで以後の処理は行わない。
【００３６】
一方、コンテンツ推薦要求の通知を受信したと判別した場合（ステップＳ２１のＹｅｓ）、次にコンテンツ管理部３０はコンテンツ推薦要求に対応したコンテンツをネットワーク上から収集する（ステップＳ２２）。この本発明に係るコンテンツ推薦要求には、コンテンツ収集を指示する情報と、コンテンツ収集の基準となるコンテンツ情報とが含まれる。コンテンツ収集の基準となるコンテンツ情報とは、例えば現在ユーザーが視聴しているコンテンツのタイトル、出演人物及びジャンル等を示すメタデータがある。従って、現在視聴しているコンテンツのメタデータを基準としてコンテンツ収集を行うと、視聴しているコンテンツのタイトルに関連するコンテンツや、出演人物が出演している他のコンテンツや、同様のジャンルのコンテンツが収集される。
【００３７】
また、コンテンツ収集の基準となるコンテンツ情報として、ユーザーの視聴履歴や視聴に関する設定等の嗜好情報もある。即ち、ユーザーの視聴履歴に基づいてユーザーの嗜好に沿うと予想されるコンテンツを収集するものである。また、ユーザーによりジャンル、出演人物及びイメージ等を設定し、嗜好に沿うコンテンツを収集するとしても良い。
【００３８】
次に、コンテンツ管理部３０はネットワーク上から収集したコンテンツの内、第１の有害コンテンツリストＡに記憶されているコンテンツが含まれるか否かを判別する（ステップＳ２３）。その結果、第１の有害コンテンツリストＡに記憶されているコンテンツが含まれていると判別した場合（ステップＳ２３のＹｅｓ）、当該コンテンツ情報に有害レベルを付加し（ステップＳ２４）、有害レベル付きの当該コンテンツ情報を受信端末２へ送信する（ステップＳ２５）。ステップＳ２４及びステップＳ２５は、本発明にかかる第１の通知手段に該当する。
【００３９】
一方、収集したコンテンツの内、第１の有害コンテンツリストＡに記憶されていないコンテンツの場合（ステップＳ２３のＮｏ）、そのコンテンツ情報のみを受信端末２へ送信する（ステップＳ２５）。尚、有害通知回数αがゼロ回もしくは有害レベルを設定する閾値未満であるために有害レベルが設定されないコンテンツ（“−”と表記する）も、受信端末２へ送信するように構成しても良い。
【００４０】
図６は本実施の形態における受信端末２へ送信するコンテンツ情報の例である。図６においては、例えばタイトル名が「Ｖａｒｉｅｔｙ」、「Ｆｉｇｈｔ  ｎｉｇｈｔ」等のコンテンツは有害であるとの通知を受け、その有害通知回数αが低レベルの閾値以上、中レベルの閾値未満であるため有害レベルが“低”と設定されている。同様にして、タイトル名が「Ｍｏｖｉｅ」、「Ｍｕｓｉｃ」等のコンテンツは有害であるとの通知を受け、その有害通知回数αが中レベルの閾値以上、高レベルの閾値未満であるため有害レベルが“中”と設定されている。同様にして、タイトル名が「Ａｎｉｍａｔｉｏｎ」、「Ｄｏｃｕｍｅｎｔ」等のコンテンツは有害であるとの通知を受け、その有害通知回数αが高レベルの閾値以上であるため有害レベルが“高”と設定されている。一方、タイトル名が「Ｎｅｗｓ」、「Ｂａｓｅｂａｌｌ」等の有害レベルが“−”と表記されているコンテンツは、有害通知回数αがゼロ回であるかもしくは有害通知回数αが低レベルの閾値未満であるため、有害レベルの設定がされていない。
【００４１】
次に、図２を用いて、受信端末２の機能を説明する。
【００４２】
受信端末２は通信Ｉ／Ｆ１４と、映像音声出力装置１６と、リモコンＩ／Ｆ１７と、コンテンツ受信部２１と、コンテンツ判定部２２と、コンテンツ記憶部２３と、制御部２４と、オーディオデコーダ部２５と、ビデオデコーダ部２６と、推薦画面生成部２７と、ビデオレンダラ部２８と、通知部２９とを有する。
【００４３】
通信Ｉ／Ｆ１４は上述したように、通信ネットワーク３を介しコンテンツ管理部３０とコンテンツ受信部２１との間でコンテンツ等のデータのやり取りを仲介する。
【００４４】
コンテンツ受信部２１は、通信Ｉ／Ｆ１４から送出されたコンテンツ等を受信し、コンテンツ判定部２２に転送する。
【００４５】
リモコンＩ／Ｆ１７は上述したように、リモコン５の操作によるコマンドを受信し、コマンドの示す処理内容を制御部２４に転送する。
【００４６】
制御部２４は、リモコンＩ／Ｆ１７から各種の操作の処理内容を元に、各部の制御を行う。コンテンツ推薦要求、有害コンテンツの通知及び有害レベルの設定や変更があった場合には、通知部２９に指示を行う。コンテンツ再生の指示があった場合には、コンテンツ記憶部２３から記憶しているコンテンツをデータごとにオーディオデコーダ部２５、ビデオデコーダ部２６及び推薦画面生成部２７へ転送させ、映像音声出力装置１６で再生表示を行う。またオーディオデコーダ部２５、ビデオデコーダ部２６に各種データのデコードを指示し、推薦画面生成部２７に推薦画面の生成を指示する。尚、再生するにあたり、映像音声及び推薦画面の調整に関するコマンドを受信した場合はオーディオデコーダ部２５、ビデオデコーダ部２６及び推薦画面生成部２７を制御する。
【００４７】
コンテンツ判定部２２は後述する手順に従い、コンテンツ受信部２１から受信したコンテンツ情報から有害コンテンツを除外する２回のフィルタリングを行う。フィルタリングを行うにあたり、コンテンツ判定部２２は通知部２９からの有害コンテンツの通知を受信し、第２の有害コンテンツリストＢとして記憶しておく。このコンテンツ判定部２２の役割が、本発明の第２のリスト作成手段に該当する。
【００４８】
図８は本実施の形態におけるコンテンツ判定部２２における第２の有害コンテンツリストＢの概念図の例である。視聴により有害とみなしたタイトル名が「Ｖａｒｉｅｔｙ」、「Ｆｉｇｈｔ  ｎｉｇｈｔ」「Ｍｕｓｉｃ」及び「Ｌｉｖｅ」のコンテンツについては第２の有害コンテンツリストＢに記憶しておく。
【００４９】
またフィルタリングを行うにあたり、コンテンツ判定部２２にて推薦を許可する有害レベルを記憶しておく。図９は本実施の形態における推薦を許可する有害レベルの管理の概念図の例である。図９の例によれば、有害レベルが“高”に設定されるコンテンツの推薦許可設定がＯＦＦである。即ち、有害レベルが“高”であるコンテンツは、この受信端末２においては推薦（ユーザーへの出力）をしない。また有害レベルが“中”、“低”及び“−”に設定されるコンテンツの推薦許可設定はＯＮである。即ち、有害レベルが“中”、“低”及び“−”であるコンテンツは、この受信端末２においては推薦を許可する。この有害レベルの設定は受信端末２において統一して設定するように構成しても良いし、ログインするユーザーによって個別に設定するように構成しても良い。
【００５０】
コンテンツ記憶部２３は後述するコンテンツ判定部２２における２回のフィルタリングにより、有害コンテンツではないと判別されたコンテンツ情報を記憶する。
【００５１】
オーディオデコーダ部２５はコンテンツデータの音声データをデコードする。
【００５２】
ビデオデコーダ部２６はコンテンツデータの映像データをデコードする。
【００５３】
推薦画面生成部２７はコンテンツ記憶部２３からコンテンツ情報を読み出し、ユーザーへネット上で収集したコンテンツ情報を推薦リスト画面に提示する。
【００５４】
ビデオレンダラ部２８はビデオデコーダ部２６と推薦画面生成部２７から出力されたデータの多重化を行う。
【００５５】
映像音声出力装置１６は再生要求されたコンテンツ推薦リスト画面の表示を行う。更に、コンテンツ推薦リスト画面において再生が選択された場合はコンテンツ再生を行う。上述のように、映像音声出力装置１６は外部で接続する構成にしても良い。
【００５６】
通知部２９は制御部２４から各種の指示を受信し、コンテンツ判定部２２及びコンテンツ管理部３０に通知を行う。コンテンツ推薦要求を受信した場合は、コンテンツ管理部３０にコンテンツ収集の指示及びコンテンツ収集の基準となるコンテンツ情報を送信する。
【００５７】
これは本発明に係る第２の送信手段に該当する。また有害コンテンツの通知を受信した場合はコンテンツ管理部３０に有害通知を行い、これは本発明に係る第２の通知手段に該当する。また有害通知を行うと共に、有害とみなしたコンテンツ情報を自装置中に第２の有害コンテンツリストＢとして記憶する場合、有害コンテンツ情報をコンテンツ判定部２２に送信する。また推薦を許可する有害レベルの設定や変更の指示する場合は、コンテンツ判定部２２に通知を行う。
【００５８】
次に、コンテンツ推薦要求を受信した場合の有害コンテンツ除外の手順を、図７を用いて説明する。図７は本実施の形態におけるコンテンツ判定部２２におけるフィルタリングの手順のフローチャートである。このフローチャートの手順が本発明に係る推薦リスト出力手段に該当する。
【００５９】
まず、受信端末２の通知部２９がリモコンＩ／Ｆ１７からコンテンツ推薦要求を受信したか否かを判別する（ステップＳ３１）。その結果、通知部２９がコンテンツ推薦要求を受信していないと判別した場合（ステップＳ３１のＮｏ）、コンテンツ推薦要求を受信したと判別するまで以後の処理は行わない。
【００６０】
一方、コンテンツ推薦要求を受信したと判別した場合（ステップＳ３１のＹｅｓ）、次にコンテンツ受信部２１が通信Ｉ／Ｆ１４からコンテンツ情報を受信したか否かを判別する（ステップＳ３２）。その結果、コンテンツ情報を受信していないと判別した場合（ステップＳ３２のＮｏ）、コンテンツ情報を受信したと判別するまで以後の処理は行わない。
【００６１】
一方、コンテンツ情報を受信したと判別した場合（ステップＳ３２のＹｅｓ）、コンテンツ判定部２２は第２の有害コンテンツリストＢとして記憶したコンテンツ情報と一致するコンテンツ情報であるか否かを判別する（ステップＳ３３）。このステップＳ３３が第１のフィルタリングに該当する。
【００６２】
その結果、第２の有害コンテンツリストＢに記憶したコンテンツ情報と一致するコンテンツであると判別した場合（ステップＳ３３のＹｅｓ）、そのコンテンツ情報は記憶せず削除する。またはステップＳ３６におけるコンテンツ推薦リスト画面に出力しないとしても良い。
【００６３】
例えば、ステップＳ３２において図６に相当するコンテンツ情報を受信し、第２の有害コンテンツリストＢとして図８に示したものを受信端末２が記憶している場合を例にとり説明する。受信したコンテンツ情報（図６に相当）において、図８の内容に相当するタイトル名が「Ｖａｒｉｅｔｙ」、「Ｆｉｇｈｔ  ｎｉｇｈｔ」、「Ｍｕｓｉｃ」及び「Ｌｉｖｅ」のコンテンツ情報は削除もしくはコンテンツ推薦リスト画面に出力しない。
【００６４】
一方、第２の有害コンテンツリストＢに記憶したコンテンツ情報と一致するコンテンツ情報ではないと判別した場合（ステップＳ３３のＮｏ）、次にコンテンツ判定部２２はそのコンテンツ情報の有害レベルと、コンテンツ判定部２２で記憶している推薦を許可する有害レベルとが一致するか否かを判別する（ステップＳ３４）。このステップＳ３４が第２のフィルタリングに該当する。
【００６５】
その結果、推薦を許可する有害レベルと一致しないコンテンツ情報であると判別した場合（ステップＳ３４のＮｏ）、そのコンテンツ情報は記憶せず削除もしくはコンテンツ推薦リストに出力しない。例えば、受信端末２が、図９に示す内容で設定されている場合には、受信端末２において推薦を許可する有害レベルは“中”、“低”及び“−”であるので、“高”であるタイトル名が「Ａｎｉｍａｔｉｏｎ」及び「Ｄｏｃｕｍｅｎｔ」であるコンテンツ情報は削除もしくはコンテンツ推薦リスト画面に出力しない。
【００６６】
一方、推薦を許可する有害レベルと一致するコンテンツ情報であると判別した場合（ステップＳ３４のＹｅｓ）、そのコンテンツ情報をコンテンツ記憶部２３において記憶する（ステップＳ３５）。
【００６７】
推薦画面生成部２７にて記憶したコンテンツ情報について推薦リスト画面を生成し、ユーザーにコンテンツの推薦が実現する（ステップＳ３６）。図１０は、本実施の形態におけるコンテンツ推薦リスト画面の表示例である。図１０は、ステップＳ３２において図６に相当するコンテンツ情報を受信した場合において、第２の有害コンテンツリストＢとして図８に示したものを受信端末２が記憶し、且つ受信端末２において許可する有害レベルが“中”、“低”及び“−”である場合の処理結果を示している。
【００６８】
ユーザーは推薦リスト画面に表示されるコンテンツ情報から、視聴を希望するコンテンツを選択する。選択したコンテンツにおいて再生のボタンを選択すると、そのコンテンツ情報に対応したコンテンツの映像データのダウンロードもしくはストリーミングが開始され、再生される。視聴後、そのコンテンツを有害とみなした場合は、通知のボタンを選択し送信サーバ４に通知する。また、以前に視聴したコンテンツや、タイトル名から視聴したくないと判断したコンテンツ情報は、削除のボタンを選択し、推薦候補から削除もしくは推薦リストに出力しないとすることとしても良い。
【００６９】
上述のステップＳ３３における第１のフィルタリングにより、有害レベルが許可するレベルに該当するものであっても自装置のおける視聴により有害とみなしたコンテンツであればコンテンツが推薦されることはない。例えばタイトル名が「Ｌｉｖｅ」であるものは、コンテンツ管理部３０において設定される有害レベルが“−”であり推薦を許可するレベルに該当するが、一度自装置で有害と判断すれば推薦されることはない。同様にタイトル名が「Ｖａｒｉｅｔｙ」、「Ｆｉｇｈｔ  ｎｉｇｈｔ」、「Ｍｕｓｉｃ」であるものは、コンテンツ管理部３０において設定される有害レベルが推薦を許可する有害レベルに該当するが、一度自装置で有害と判断すれば推薦されることはない。
【００７０】
以上のように、送信サーバ４においては各受信端末２からの有害通知に基づいて有害コンテンツのリスト管理及び有害レベルの設定が行われる。また各受信端末２においては送信サーバ４で集中管理されることで設定される有害レベルを受信することができ、その有害レベルに基づいて各受信端末２で設定したフィルタリングが実行できる。即ち受信端末２において推薦を許可する有害レベルを設定することを可能にすることで、ユーザーに応じた有害コンテンツの除外が実現する。更に受信端末２において一度視聴したコンテンツの中で有害とみなしたものを記憶する機能を備えることで、有害レベルが推薦を許可するものであっても再度推薦候補になる虞がなく、より効果的に有害コンテンツが除外される。
【図面の簡単な説明】
【００７１】
【図１】本実施の形態におけるコンテンツ送受信システムのハードウェア構成を示す図。
【図２】本実施の形態におけるコンテンツ送受信システムの機能ブロック図。
【図３】本実施の形態における第１の有害コンテンツリストＡ作成及びコンテンツの有害レベルの設定の手順を示したフローチャート。
【図４】本実施の形態におけるコンテンツ管理部における第１の有害コンテンツリストＡの概念図の例。
【図５】本実施の形態におけるコンテンツ管理部のコンテンツ送信動作の手順を示したフローチャート。
【図６】本実施の形態における受信端末へ送信するコンテンツ情報の例。
【図７】本実施の形態におけるコンテンツ判定部におけるフィルタリングの手順のフローチャート。
【図８】本実施の形態におけるコンテンツ判定部における第２の有害コンテンツリストＢの概念図の例。
【図９】本実施の形態における推薦を許可する有害レベルの管理の概念図の例。
【図１０】本実施の形態におけるコンテンツ推薦リスト画面の表示例。
【符号の説明】
【００７２】
１      コンテンツ送受信システム
２      受信端末
３      通信ネットワーク
４      送信サーバ
５      リモコン
６      ＴＶアンテナ
１１    ＣＰＵ
１２    ＲＯＭ
１３    ＲＡＭ
１４    通信Ｉ／Ｆ
１５    ハードディスク
１６    映像音声出力装置
１７    リモコンＩ／Ｆ
１８    ＴＶチューナ
２１    コンテンツ受信部
２２    コンテンツ判定部
２３    コンテンツ記憶部
２４    制御部
２５    オーディオデコーダ部
２６    ビデオデコーダ部
２７    推薦画面生成部
２８    ビデオレンダラ部
２９    通知部
３０    コンテンツ管理部 
【図１】
2010086352.tif 000003
【図２】
2010086352.tif 000004
【図３】
2010086352.tif 000005
【図４】
2010086352.tif 000006
【図５】
2010086352.tif 000007
【図６】
2010086352.tif 000008
【図７】
2010086352.tif 000009
【図８】
2010086352.tif 000010
【図９】
2010086352.tif 000011
【図１０】
2010086352.tif 000012